(57)【要約】  本発明の実施形態により設計された例示的な通信システムの例には、コントローラ、およびコントローラによってアクセス可能なデータ・ストレージが含まれる。データ・ストレージには、選択領域内の通信デバイス間の可能な通信リンクを示す情報が含まれる。少なくとも１つのノードが、ユーザ・デバイスと通信する。少なくとも１つのノードは、ユーザ・デバイスと通信することができる少なくとも１つの他のネットワーク・デバイスからの少なくとも１つの信号を検出し、少なくとも１つの検出信号に基づいて、少なくとも１つの他のネットワーク・デバイスに関する情報を処理するインテリジェンス収集モジュールを有する。少なくとも１つのノードは、少なくとも１つの他のネットワーク・デバイスに関する情報をコントローラに伝達し、コントローラは、データ・ストレージの記憶情報内に、少なくとも１つの他のネットワーク・デバイスに関する情報を含める。
2017535192.tif 000002
【特許請求の範囲】
【請求項１】
コントローラと、
前記コントローラによってアクセス可能なデータ・ストレージであって、選択領域内の通信デバイス間の可能な通信リンクを示す情報を含むデータ・ストレージと、
ユーザ・デバイスと通信する少なくとも１つのノードであって、インテリジェンス収集モジュールを有する少なくとも１つのノードと
を備え、
前記インテリジェンス収集モジュールが、ユーザ・デバイスと通信することができる少なくとも１つの他のネットワーク・デバイスからの少なくとも１つの信号を検出し、
前記インテリジェンス収集モジュールが、前記少なくとも１つの検出信号に基づいて、前記少なくとも１つの他のネットワーク・デバイスに関する情報を処理し、
前記少なくとも１つのノードが、前記少なくとも１つの他のネットワーク・デバイスに関する前記情報を前記コントローラに伝達し、
前記コントローラが、前記データ・ストレージの記憶情報内に、前記少なくとも１つの他のネットワーク・デバイスに関する前記情報を含める
通信システム。
【請求項２】
前記データ・ストレージ内の前記記憶情報が、
前記少なくとも１つのノードに関する情報と、
前記ノードの通信履歴に関する情報と、
前記少なくとも１つの他のネットワーク・デバイスに関する情報と、
前記少なくとも１つのノードと前記少なくとも１つの他のネットワーク・デバイスとの間の少なくとも１つの可能な通信リンクに関する情報と
を備える、請求項１に記載のシステム。
【請求項３】
前記コントローラが、前記記憶情報を使用して、少なくとも１つのユーザ・デバイス、および前記少なくとも１つのノードまたは前記少なくとも１つの他のネットワーク・デバイスのうちの少なくとも１つを含む通信セッションのためのルーティング情報を決定する、請求項１に記載のシステム。
【請求項４】
前記記憶情報が、少なくとも１つのユーザ・デバイスのために通信をルーティングすることができる複数の通信ノードと、前記複数の通信ノードのそれぞれのロケーションに関する情報とを含むネットワーク情報のマッピングを備える、請求項１に記載のシステム。
【請求項５】
前記少なくとも１つのノードが、メモリ部を備え、
前記メモリ部が、前記インテリジェンス収集モジュールによって処理された前記情報に関する指示を含み、
前記メモリ部が、処理された過去の通信履歴情報を含み、
前記少なくとも１つのノードが、前記メモリ部内の前記情報に関する前記指示を使用して、（ｉ）ユーザ・デバイスに対する通信を促進するか、または（ｉｉ）少なくとも１つの他のネットワーク・デバイスに関する追加情報を取得する、
請求項１に記載のシステム。
【請求項６】
データ・ストレージに情報を記憶するステップであって、記憶情報が、選択領域内の通信デバイス間の可能な通信リンクを示すステップと、
少なくとも１つのノードのインテリジェンス収集モジュールを使用して、少なくとも１つの他のネットワーク・デバイスからの少なくとも１つの信号を検出するステップであって、前記少なくとも１つのノードがユーザ・デバイスと通信することができ、前記少なくとも１つの他のネットワーク・デバイスが、ユーザ・デバイスと通信することができるステップと、
前記少なくとも１つの検出信号に基づいて、前記少なくとも１つの他のネットワーク・デバイスに関する情報を処理するステップと、
前記データ・ストレージ内の前記記憶情報内に、前記少なくとも１つの他のネットワーク・デバイスに関する前記情報を含めるステップと
を含む通信方法。
【請求項７】
前記データ・ストレージ内の前記記憶情報が、
前記少なくとも１つのノードに関する情報と、
前記少なくとも１つの他のネットワーク・デバイスに関する情報と、
前記少なくとも１つのノードの過去の通信履歴に関する情報と、
前記少なくとも１つのノードと前記少なくとも１つの他のネットワーク・デバイスとの間の可能な通信リンクに関する情報と、前記情報と
を含む、請求項６に記載の方法。
【請求項８】
前記記憶情報を使用して、少なくとも１つのユーザ・デバイス、および前記少なくとも１つのノードまたは前記少なくとも１つの他のネットワーク・デバイスのうちの少なくとも１つを含む通信セッションのためのルーティング情報を決定するステップを含む、請求項６に記載の方法。
【請求項９】
前記少なくとも１つのノードのメモリ部内の、前記インテリジェンス収集モジュールによって処理された前記情報に関する指示を含むステップと
前記メモリ部内の通信履歴に関する処理された情報を含むステップと、
前記少なくとも１つのノードが、前記メモリ部の前記指示または前記処理された情報のうちの少なくとも１つを使用して、（ｉ）ユーザ・デバイスに対する通信を促進するか、または（ｉｉ）少なくとも１つの他のネットワーク・デバイスに関する追加情報を取得するステップと
を含む、請求項６に記載の方法。
【請求項１０】
ユーザ・デバイスと通信するためのトランシーバと、
ユーザ・デバイスと通信することができる少なくとも１つの他のネットワーク・デバイスからの少なくとも１つの信号を検出するインテリジェンス収集モジュールであって、前記少なくとも１つの検出信号に基づいて、前記少なくとも１つの他のネットワーク・デバイスに関する情報を処理するインテリジェンス収集モジュールと、
前記処理された情報に関する指示、および通信履歴に関する処理された情報を少なくとも一時的に含むメモリ部とを備え、前記ノードが、前記メモリ部の前記指示または前記処理された情報のうちの少なくとも１つを使用して、（ｉ）ユーザ・デバイスに対する通信を促進するか、または（ｉｉ）少なくとも１つの他のネットワーク・デバイスに関する追加情報を取得する、
通信ノード。
【発明の詳細な説明】
【技術分野】
【０００１】
本明細書の主題は、通信ネットワークに関する。より詳細には、本明細書の主題は、ユーザ・デバイスに対する通信を促進するための、通信ノード間の分散インテリジェンス（ｄｉｓｔｒｉｂｕｔｅｄ  ｉｎｔｅｌｌｉｇｅｎｃｅ）を含む通信ネットワークに関するが、これに限定されるものではない。
【背景技術】
【０００２】
有線リンクまたは無線通信プロトコルを使用して、様々なデバイスと通信することが、ますます可能になりつつある。エンド・ユーザ・デバイスの能力の向上には、より多くの帯域幅が必要である。無線事業者には、周波数帯を拡張または増加させることなく、増大するモバイル・インターネットの需要を満たすことが要求されている。同時に、無線周波数帯リソースはますます不足しつつある。より適切な周波数利用が必要とされている。
【発明の概要】
【発明が解決しようとする課題】
【０００３】
１つの提案された解決策には、動的周波数割当が含まれる。この手法は、複数のサービス・プロバイダを跨って調整することができないので限定的である。また、できたとしても、現行の無線通信ノードは、マルチ・アクセス、マルチモードまたはマルチ・メッシュ（ｍｕｌｔｉ−ｍｅｓｈ）のアルゴリズムを実装するための十分なアプリケーション層の能力を有していない恐れがある。
【課題を解決するための手段】
【０００４】
本発明の実施形態により設計された例示的な通信システムの例には、コントローラおよびコントローラによってアクセス可能なデータ・ストレージが含まれる。データ・ストレージには、選択領域内の通信デバイス間の可能な通信リンクを示す情報が含まれる。少なくとも１つのノードが、ユーザ・デバイスと通信する。少なくとも１つのノードは、ユーザ・デバイスと通信することができる少なくとも１つの他のネットワーク・デバイスからの少なくとも１つの信号を検出し、少なくとも１つの検出信号に基づいて少なくとも１つの他のネットワーク・デバイスに関する情報を処理するインテリジェンス収集モジュールを有する。少なくとも１つのノードは、少なくとも１つの他のネットワーク・デバイスに関する情報をコントローラに伝達し、コントローラは、データ・ストレージの記憶情報内に、少なくとも１つの他のネットワーク・デバイスに関する情報を含める。
【０００５】
前段落の１つまたは複数の特徴を有するシステムの実施形態例において、データ・ストレージ内の記憶情報は、少なくとも１つのノードに関する情報と、ノードの通信履歴に関する情報と、少なくとも１つの他のネットワーク・デバイスに関する情報と、少なくとも１つのノードと少なくとも１つの他のネットワーク・デバイスとの間の少なくとも１つの可能な通信リンクに関する情報とを含む。
【０００６】
前段落のいずれかの１つまたは複数の特徴を有するシステムの実施形態例において、インテリジェンス収集モジュールは、少なくとも１つの他のネットワーク・デバイスからの少なくとも１つのパイロット信号を検出する。
【０００７】
前段落のいずれかの１つまたは複数の特徴を有するシステムの実施形態例において、少なくとも１つのノードが、第１のサービス・プロバイダによって稼働され、少なくとも１つの他のネットワーク・デバイスが、第２の異なるサービス・プロバイダによって稼働される。
【０００８】
前段落のいずれかの１つまたは複数の特徴を有するシステムの実施形態例において、コントローラは、記憶情報を使用して、少なくとも１つのユーザ・デバイス、および少なくとも１つのノードまたは少なくとも１つの他のネットワーク・デバイスのうちの少なくとも１つを含む通信セッションのためのルーティング情報を決定する。
【０００９】
前段落のいずれかの１つまたは複数の特徴を有するシステムの実施形態例において、記憶情報には、少なくとも１つのユーザ・デバイスのために通信をルーティングすることができる複数の通信ノード、および複数の通信ノードのそれぞれのロケーションに関する情報を含むネットワーク情報のマッピングが含まれる。
【００１０】
前段落のいずれかの１つまたは複数の特徴を有するシステムの実施形態例において、コントローラは、少なくとも１つのノードに、記憶情報に基づいて指定された他のネットワーク・デバイスからの少なくとも１つの信号の取得を試みるように指示する。
【００１１】
前段落のいずれかの１つまたは複数の特徴を有するシステムの実施形態例において、少なくとも１つのノードは無線基地局を備え、少なくとも１つの他のネットワーク・デバイスは、別の基地局のトランシーバ、フェムト・セル・トランシーバ（ｆｅｍｔｏ  ｃｅｌｌ  ｔｒａｎｓｃｅｉｖｅｒ）、ピコ・セル・トランシーバ（ｐｉｃｏ  ｃｅｌｌ  ｔｒａｎｓｃｅｉｖｅｒ）、ＷｉＦｉノード・トランシーバ（ＷｉＦｉ  ｎｏｄｅ  ｔｒａｎｓｃｅｉｖｅｒ）、中継ノード、無線遠隔ヘッド（ｒａｄｉｏ  ｒｅｍｏｔｅ  ｈｅａｄ）、クラウド無線アクセス・ネットワーク（ｃｌｏｕｄ  ｒａｄｉｏ  ａｃｃｅｓｓ  ｎｅｔｗｏｒｋ）、または分散無線アクセス・ネットワーク（ｄｉｓｔｒｉｂｕｔｅｄ  ｒａｄｉｏ  ａｃｃｅｓｓ  ｎｅｔｗｏｒｋ）のうちの少なくとも１つであるアクセス・ポイントを備える。
【００１２】
前段落のいずれかの１つまたは複数の特徴を有するシステムの実施形態例において、少なくとも１つのノードはメモリ部を備え、メモリ部にはインテリジェンス収集モジュールによって処理された情報に関する指示が含まれ、メモリ部には処理された過去の通信履歴情報が含まれ、少なくとも１つのノードは、メモリ部内の情報に関する指示を使用して、（ｉ）ユーザ・デバイスに対する通信を促進するか、または（ｉｉ）少なくとも１つの他のネットワーク・デバイスに関する追加情報を取得する。
【００１３】
本発明の実施形態により設計された例示的な通信方法の例には、データ・ストレージに情報を記憶することが含まれる。記憶情報は、選択領域内の通信デバイス間の可能な通信リンクを示す。少なくとも１つのノードのインテリジェンス収集モジュールは、少なくとも１つの他のネットワーク・デバイスからの少なくとも１つの信号を検出する。少なくとも１つのノードは、ユーザ・デバイスと通信することができる。少なくとも１つの他のネットワーク・デバイスも、ユーザ・デバイスと通信することができる。少なくとも１つの他のネットワーク・デバイスに関する情報は、少なくとも１つの検出信号に基づいてインテリジェンス収集モジュールによって処理される。少なくとも１つの他のネットワーク・デバイスに関する処理された情報は、データ・ストレージ内の記憶情報に含まれる。
【００１４】
前段落の１つまたは複数の特徴を有する方法の実施形態例において、データ・ストレージ内の記憶情報は、少なくとも１つのノードに関する情報と、少なくとも１つの他のネットワーク・デバイスに関する情報と、少なくとも１つのノードの過去の通信履歴に関する情報と、少なくとも１つのノードと少なくとも１つの他のネットワーク・デバイスとの間の可能な通信リンクに関する情報と、情報とを備える。
【００１５】
前段落のいずれかの１つまたは複数の特徴を有する方法の実施形態例において、信号モジュールは、少なくとも１つの他のネットワーク・デバイスからの少なくとも１つのパイロット信号を検出する。
【００１６】
前段落のいずれかの１つまたは複数の特徴を有する方法の実施形態例は、第１のサービス・プロバイダが少なくとも１つのノードを稼働することを含み、少なくとも１つの他のネットワーク・デバイスが第２の異なるサービス・プロバイダによって稼働されることを含む。
【００１７】
前段落のいずれかの１つまたは複数の特徴を有する方法の実施形態例は、記憶情報を使用して少なくとも１つのユーザ・デバイス、および少なくとも１つのノードまたは少なくとも１つの他のネットワーク・デバイスのうちの少なくとも１つを含む通信セッションのためのルーティング情報を決定することを含む。
【００１８】
前段落のいずれかの１つまたは複数の特徴を有する方法の実施形態例において、記憶情報は、少なくとも１つのユーザ・デバイスのために通信をルーティングできる複数の通信ノード、および複数の通信ノードのそれぞれのロケーションに関する情報を含むネットワーク情報のマッピングを備える。
【００１９】
前段落のいずれかの１つまたは複数の特徴を有する方法の実施形態例は、少なくとも１つのノードに、記憶情報に基づいて指定された他のネットワーク・デバイスからの少なくとも１つの信号の取得を試みるように指示することを含む。
【００２０】
前段落のいずれかの１つまたは複数の特徴を有する方法の実施形態例において、少なくとも１つのノードは、無線基地局を備え、少なくとも１つの他のネットワーク・デバイスは、別の基地局のトランシーバ、フェムト・セル・トランシーバ、ピコ・セル・トランシーバ、ＷｉＦｉノード・トランシーバ、中継ノード、無線遠隔ヘッド、クラウド無線アクセス・ネットワーク、または分散無線アクセス・ネットワークのうちの少なくとも１つであるアクセス・ポイントを備える。
【００２１】
前段落のいずれかの１つまたは複数の特徴を有する方法の実施形態例は、少なくとも１つのノードのメモリ部内のインテリジェンス収集モジュールによって処理された情報に関する指示を含めることと、メモリ部内に通信履歴に関する処理された情報を含めることと、少なくとも１つのノードがメモリ部の指示または処理された情報のうち少なくとも１つを使用して、（ｉ）ユーザ・デバイスに対する通信を促進するか、または（ｉｉ）少なくとも１つの他のネットワーク・デバイスに関する追加情報を取得することを含む。
【００２２】
本発明の実施形態により設計された例示的な通信ノードの例には、ユーザ・デバイスと通信するためのトランシーバが含まれる。インテリジェンス収集モジュールは、ユーザ・デバイスと通信することができる少なくとも１つの他のネットワーク・デバイスからの少なくとも１つの信号を検出する。インテリジェンス収集モジュールは、少なくとも１つの検出信号に基づいて少なくとも１つの他のネットワーク・デバイスに関する情報を処理する。メモリ部は、処理された情報に関する指示および通信履歴に関する処理された情報を少なくとも一時的に含む。ノードは、メモリ部の指示または処理された情報のうち少なくとも１つを使用して、（ｉ）ユーザ・デバイスに対する通信を促進するか、または（ｉｉ）少なくとも１つの他のネットワーク・デバイスに関する追加情報を取得する。
【００２３】
前段落の１つまたは複数の特徴を有するデバイスの実施形態例において、ノードは、少なくとも１つの他のネットワーク・デバイスに関する情報をネットワーク・コントローラに伝達し、選択領域内の通信デバイス間の可能な通信リンクを示す記憶情報内に含める。
【００２４】
本発明の少なくとも１つの実施形態の様々な特徴および利点は、以下の詳細な説明から、当業者には明らかになるであろう。詳細な説明に付随する図は、以下のように簡潔に説明することができる。
【図面の簡単な説明】
【００２５】
【図１】本発明の実施形態による通信システムの抜粋部分を概略的に示した図である。
【図２】図１に示した実施形態の特徴を含むノードによって発見することができる様々な通信デバイスを概略的に示した図である。
【図３】実施形態例のデータ・ストレージ内に含めることができるマッピング形式の情報を概略的に示した図である。
【図４】通信ネットワーク内の分散インテリジェンスを使用する手法の例を要約した流れ図である。
【発明を実施するための形態】
【００２６】
通信システムおよび方法の少なくとも１つの開示された実施形態には、少なくともいくつかの通信ノード間の分散インテリジェンスが含まれる。分散インテリジェンス、およびそのインテリジェンスを通じて集められた情報は、様々なエンド・ユーザ・デバイスに対するより効率的な、またはより効果的な通信を促進するのに役立つ。
【００２７】
図１は、本発明の実施形態により設計された通信システム２０の抜粋部分を、概略的に示している。システム２０には、コントローラ２４および関連したデータ・ストレージ２６を含むネットワーク２２が含まれる。コントローラ２４は、データ・ストレージ２６にアクセスし、データ・ストレージ２６内の記憶情報から読み出すこと、または新しい情報を記憶情報に書き出すことができる。コントローラ２４およびデータ・ストレージ２６は、本実施形態の中に、ハードウェアをそれぞれ備える。
【００２８】
いくつかの実施形態例において、データ・ストレージ２６内の記憶情報には、選択領域内の様々な通信デバイス間の可能な通信リンクに関する情報が含まれる。記憶情報は、デバイス間の関係を示す通信デバイスのマッピングであると考えることができる。いくつかの実施形態において、記憶情報には、選択領域内の様々なノードまたは通信デバイスの通信履歴に関する情報が含まれる。このような情報は、コントローラ２４（またはシステム２０内の別のプロセッサ）にとって、ユーザ・デバイスまたは利用者のために通信をルーティングするのに役立つ。
【００２９】
システム例２０は、移動通信交換局３０、基地局コントローラ３２およびノード３４などのネットワーク構成要素を含む。図１の例において、ノード３４は、無線リンクでエンド・ユーザ・デバイス３６（例えば、移動局）と通信するために構成された、セルラー基地局トランシーバなどの基地局を備える。ノード３４は、例えば、関連した基地局コントローラ３２および移動通信交換局３０を介して、バックホール・リンク（ｂａｃｋｈａｕｌ  ｌｉｎｋ）でコントローラ２４と通信する。いくつかの実施形態において、ノード３４は、専用リンク（無線またはバックホール）でコントローラ２４と直接通信する。
【００３０】
ノード３４のうちの少なくとも１つには、他のネットワーク通信デバイスに関するインテリジェンスを収集する機能が含まれる。図１において、ノード３４のうちのいくつかは、基地局トランシーバ（ｂａｓｅ  ｓｔａｔｉｏｎ  ｔｒａｎｓｃｅｉｖｅｒ）（ＢＴＳ）部３８およびインテリジェンス収集モジュール（ＩＧＭ）４０を含む。ＢＴＳ部３８は、エンド・ユーザ・デバイスまたは移動局３６に対する既知の無線通信のために構成されている。ＩＧＭ４０は、他のネットワーク通信デバイスからの信号を少なくとも検出して、このようなデバイスからの情報を収集し、その情報を処理するために構成されている。ＩＧＭ４０によって処理された情報は、少なくとも１つの移動局３６に対する通信を促進するために使用されるので、ＩＧＭ４０はノード３４間の分散インテリジェンスの一部である。図示の例において、コントローラ２４は、ＩＧＭ４０のいずれかによって収集された情報を使用して、データ・ストレージ２６内の情報を増加させるか、または更新する。追加情報によって、コントローラ２４およびネットワーク２２には、記憶情報内で特定された通信デバイス間の可能なリンクに沿って通信をルーティングすることなど、様々な目的のための情報がより適切に与えられる。
【００３１】
いくつかの例において、コントローラ２４は、無線ネットワーク・コントローラ（ＲＮＣ：ｒａｄｉｏ  ｎｅｔｗｏｒｋ  ｃｏｎｔｒｏｌｌｅｒ）など、ネットワーク２２内の別の通信デバイスの一部である。他の例において、コントローラ２４は、例示のコントローラについて本明細書で説明した機能を実行するように特に構成された分離デバイスとして実装されてもよい。本説明の利益を有する当業者は、コントローラ２４の適切な配置または構成が、彼らの特定の要求を満たすことになることが理解できるであろう。さらに、コントローラ２４は、個々の構成要素として概略的に示されているが、例示のコントローラ２４の機能または特徴は、様々な通信ネットワークの構成要素またはデバイスの間に分配してもよい。本説明を考慮に入れると、当業者は、ハードウェア、ソフトウェアおよびファームウェアの組合せが、彼らの特定の要求をさらに適切に満たすことを理解するであろう。
【００３２】
コントローラ２４は、複数のノード３４に関連した様々なＩＧＭ４０から情報を受け取る。この情報は、コントローラ２４によってデータ・ストレージに入れられる。ＩＧＭ４０によって収集され、処理された情報によって、コントローラ２４は、複数のネットワーク通信デバイスに関する記憶情報を確立または増加させることができ、この情報に基づいて、通信を効率的に促進するための決定を行うことができる。
【００３３】
図示の例において、ＩＧＭ４０は、独自の専用のハードウェアおよびソフトウェアを有するか、または既に対応するノード３４の一部であるハードウェアもしくはソフトウェアにアクセスする。ハードウェアの例には、信号を送信または受信するためのトランシーバ、および別のネットワーク通信デバイスからの検出信号に応答して、行うべきことを決定するように構成されたプロセッサが含まれる。ノード３４またはＩＧＭ４０は、あらゆる場合において、検出信号から利用できる情報を解読する必要はない。ＩＧＭ４０によって検出された信号に基づいて関連情報を決定することは、特定のＩＧＭがどれだけのインテリジェンスを有しているかにより、プロセッサ２４、ノード３４でＩＧＭ４０の一部となっているプロセッサ、またはそれらの組合せによって行うことができる。
【００３４】
図２は、インテリジェンスまたは情報が通信を促進するのに役立つ可能性のある、ＩＧＭ４０および様々なネットワーク通信デバイスを含むノード３６のうちの１つを概略的に示している。この例において、中継ノード４２は、１つまたは複数の移動局３６に通信を中継するためにカバレッジ・エリア４４を提供する。遠隔無線ヘッド４６は、関連したカバレッジ・エリア４８を有する。ピコセル基地局５０は、ピコセル５２を確立する。デバイス４２、４６および５０のそれぞれは、ＩＧＭ４０によって検出できるパイロット信号などの信号を送信または同報通信する。
【００３５】
また、図２には、フェムト・セルのカバレッジ・エリア５６を確立するフェムト局５４も含まれる。フェムト局５４のロケーションおよび送信能力によっては、ＩＧＭ４０がフェムト局５４のパイロット信号を直接検出する可能性がある。一方、他のデバイスがフェムト局５４からの信号を検出し、検出されたフェムト局の信号に関するいくつかの指示をＩＧＭ４０を含むノードに提供する場合には、ＩＧＭ４０は、別のデバイスを介してフェムト局５４を認識する可能性がある。
【００３６】
様々な通信リンクが図２に概略的に示されている。これらのリンクのうちの１つまたは複数は、エンド・ユーザのために通信を促進するのに役立つ可能性がある。無線リンク６０が、図示の移動局３６に無線通信能力を提供していることが概略的に示されている。バックホール・リンク６２は、基地局ノード３４とコア・ネットワーク２２の間に用意される。バックホール・リンク６４は、ピコセル基地局５０とコア・ネットワーク２２の間に用意される。この例において、バックホール・リンク６４は、ピコセル基地局５０と基地局ノード３４の間の接続も提供する。別のバックホール・リンク６６は、遠隔無線ヘッド４６と基地局ノード３４の間に示されている。図２の例において、無線バックホール・リンク６６は、基地局ノード３４と中継ノード４２の間に用意される。フェムト基地局５４は、インターネット７２を介し、接続７４によってコア・ネットワーク２２を備えるインターネット・バックホール・リンク７０を利用する。
【００３７】
コントローラ２４は、基地局ノード３４のＩＧＭ４０から収集された情報を利用して、図２に示されたリンクのうちの１つまたは複数を、図２に示された領域内のエンド・ユーザのために通信を促進するための可能なリンクとみなす。
【００３８】
コントローラ２４が、リンク例のうちの１つまたは複数で通信をルーティングする方式は、既知のルーティング・アルゴリズムまたは既知のルーティング技術を用いて実現することができる。通信の特定の部分に対する特定のノードの割当は、例えば、既知のハンドオフ技術および他の既知のアルゴリズムを使用して、特定の時間帯における特定の通信のハンドリングに、適切なアクセス・ポイントまたはノードを選択することで実現することができる。この説明を考慮に入れると、ＩＧＭ４０を介して収集された情報を利用して、エンド・ユーザのために通信を促進するために通信経路を確立すること、または選択することに、既知の技術が利用できることを、当業者は理解できるであろう。
【００３９】
１つの例において、１つまたは複数のＩＧＭ４０によって取得され、処理された情報に少なくともある程度基づいた、データ・ストレージに記憶された情報は、選択領域内のネットワーク通信デバイスのマッピングに対応する。図３は、マッピング８０を図形で概略的に示している。データ・ストレージ２６内の記憶情報には、例えば、基地局ノード３４、ピコセル基地局５０、フェムト局またはＷｉＦｉ局５４など、様々な通信デバイスの地理的なロケーションおよび相対的な位置に関する情報を含むことができる。記憶情報がコントローラ２４にとって役立つ１つの方式は、８２および８４で概略的に示したような可能な通信リンクを検討または決定して、１つもしくは複数のエンド・ユーザ・デバイス、または１つもしくは複数の移動局３６のために通信をルーティングするためのものである。可能な通信リンク８２および８４には、特定の状況によって、無線リンク、地上通信線もしくはハードワイヤード・リンク、または両タイプのリンクを含むネットワークを備えることができる。
【００４０】
ＩＧＭ４０は、他のネットワーク通信デバイスのパイロット信号など、他のネットワーク通信デバイスからの信号を検出できるＩＧＭを有するネットワーク通信デバイスのうちの１つまたは複数を取り囲むエリアに関する追加情報を獲得する能力を、コントローラ２４に提供する。
【００４１】
図３に示した、エンド・ユーザ・デバイス３６のロケーションに関する情報、ならびにネットワーク通信デバイスの相対的な位置およびカバレッジ・エリアを表す情報を与えられると、コントローラ２４は、エンド・ユーザ・デバイス３６のために通信のルーティングに関する決定をすることができる。
【００４２】
もちろん、データ・ストレージ２６に記憶された情報は、図３に示した概略的で図形的な表現と比較すると異なった形式を有しているが、図３は、コントローラ２４がデータ・ストレージ２６から利用できる情報の種類に関する視覚的な図を読者に提供している。
【００４３】
いくつかの実施形態において、ＩＧＭ４０は、ＩＧＭ４０によって収集された情報が対応するノード３４で少なくとも一時的に記憶される、関連したメモリ部を有する。いくつかの例では、ノード３４は、ＩＧＭ４０によって事前に検出された他の通信ネットワーク・デバイスの存在または可用性を求めて周囲のエリアをスキャンまたはポーリングすることなど、様々な目的のためにこのような記憶情報を使用する。ノード３４が通信に関する決定をするための追加機能を有する場合には、ＩＧＭ４０に関連したメモリ内に少なくとも一時的に記憶された情報を、このような決定のために使うことができる。
【００４４】
図４は、１つのネットワーク内の複数のノードに関連するＩＧＭによって収集された情報に少なくとも部分的に基づいて、エンド・ユーザ・デバイスのために通信を管理する方法の例を要約した流れ図１００を含む。１０２において、情報はデータ・ストレージに記憶される。多くの実施形態において、選択領域内の通信ネットワークおよび通信デバイスに関する既知の特徴を提供されたネットワーク事業者によって、基礎となる量の情報がデータ・ストレージ２６に記憶される。
【００４５】
１０４において、ＩＧＭは、別のネットワーク通信デバイスからの少なくとも１つの信号を検出するために使用される。１０６において、技術の例には、検出信号に基づいて、他のネットワーク通信デバイスに関する情報を取得すること、およびその情報を処理することが含まれる。１０８において、この情報は、データ・ストレージ内の記憶情報に含まれ、これにより、例えば、通信のルーティングを担当するコントローラのための知識ベースが増加する。ＩＧＭ４０のうちの１つまたは複数によって収集された情報は、データ・ストレージ２６内の以前に記憶されたバージョンの記憶情報を増加させるか、または更新するために、プロセッサ２４によって使用される。
【００４６】
通信ネットワーク内の複数のノード間に分散インテリジェンスを含めることによって、開示された構成例は、エンド・ユーザのための無線通信など、通信に利用できる周波数帯のより効率的かつより効果的な使用のさらなる可能性を切り開く。ＩＧＭ４０などの分散インテリジェンスを、複数のノードに提供することによって、選択領域内の通信デバイスについて、より詳細を明らかにすることができる。
【００４７】
開示された例の特徴は、単一のネットワーク・プロバイダによる使用に限定されない。異なるサービス・プロバイダは、他のサービス・プロバイダによって使用された通信デバイスに関する情報を発見できる可能性がある。こうしたデバイスは、特定の通信をルーティングすることに依然として役立つ可能性がある。言い換えれば、上述したように、複数のノードにおけるＩＧＭ４０の設置に関連した分散インテリジェンスが、以前は可能ではなかったやり方で、１つまたは複数の通信セッションのためのサービス・プロバイダ間、または異なるプロバイダによって稼働される通信デバイス間の交流または協力を可能にする。
【００４８】
１つまたは複数の特定の実施形態に関連して、様々な特徴および態様を上述したが、こうした特徴および態様は、必ずしも対応する実施形態のみに限定されない。開示された特徴および態様は、具体的に上述した方法以外の他の方法と組み合わせてもよい。言い換えれば、１つの実施形態の任意の特徴を、別の実施形態と共に含むこと、または別の実施形態の特徴の代わりに用いることができる。
【００４９】
上記の説明は、本質的に限定的なものではなく、例示的なものである。開示された例に対する変形例および変更例は、本発明の本質から必ずしも逸脱しないということが、当業者には明らかになるであろう。本発明に付与される法的保護の範囲は、添付の特許請求の範囲を検討することによってのみ明らかにすることができる。
【図１】
2017535192.tif 000003
【図２】
2017535192.tif 000004
【図３】
2017535192.tif 000005
【図４】
2017535192.tif 000006
【国際調査報告】
2017535192.tif 000007
2017535192.tif 000008